(57)【要約】【課題】画像表示パネルを供えた本体部を、支持脚部に取り付けるときに、容易に位置決めすることができ、従来型に比べて固定用のボルトの数を減らすことができる薄型表示装置のスタンド構造を提供する。【解決手段】本体部２と、台座部４と、支持脚部５と、ブラケット部６とを備えたスタンド部３と有し、支持脚部５が本体部５１と、第１ボルト孔５２と、凸部５３とを有し、ブラケット部６が本体部６１と、第２ボルト孔６２と、係合部６３と、嵌合部６４と、貫通孔６４３とを有しており、貫通孔６４３が凸部５３に貫通されるとともに、第２ボルト孔６２と第１ボルト孔５２とが共締めされている。【選択図】図４
0003130612.tif 000002
【実用新案登録請求の範囲】
【請求項１】
前面に液晶パネルを有する表示ユニットと、
前記表示ユニットを内蔵する本体部と、
前記本体部を支持するスタンド部とを有する液晶表示装置であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、矩形の平板状の本体部と、前記本体部に形成され、内周に雌ねじが形成された２個の第１ボルト孔と、前記本体部の上部より張り出した一対の凸部と、前記本体部の両側部を折り曲げて形成された折り曲げ部とを有しており、
前記ブラケット部は金属板を切り曲げて形成されたものであり、平板状の本体部と、前記本体部に形成され、内周に雌ねじが形成された２個の第２ボルト孔と、前記本体部の側部を折り曲げて形成された係合部と、前記本体部の上部を折り曲げて形成された一対の嵌合部とを有し、
前記嵌合部は先端に向けて広がるように切り起こされた導入部と、前記導入部が切り起こされることで形成された貫通孔とを有しており、
前記ブラケット部は、前記支持脚部の正面側に配置され、前記係合部が前記折り曲げ部に係合され、前記貫通孔が前記凸部に貫通されているとともに、前記本体部の背面側より挿入されたボルトにて前記第１ボルト孔と前記第２ボルト孔とが共締めされることで前記支持脚部に固定されていることを特徴とする液晶表示装置。
【請求項２】
前記薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は貫通孔を有しており、
前記ブラケット部は、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする薄型表示装置のスタンド構造。
【請求項３】
前記薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は切り曲げることで、先端に向かって前記本体部より遠ざかるように形成された導入部及び貫通孔が形成されるものであり、
前記ブラケット部は、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする薄型表示装置のスタンド構造。
【請求項４】
前記薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は貫通孔を有しており、
前記第１ボルト孔及び前記第２ボルト孔は内周が円滑に形成されており、
前記ブラケット部は、前記支持脚部の正面側に配置され、前記貫通孔が前記凸部に貫通されるとともに、前記本体部の背面側よりボルトを前記第１ボルト孔及び前記第２ボルト孔に挿入させ、前記ボルトの先端にナットを螺合して締結することで前記支持脚部に固定されていることを特徴とする薄型表示装置のスタンド構造。
【請求項５】
前記薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は貫通孔を有しており、
前記ブラケット部は少なくとも前記第２ボルト孔の内周に雌ねじが形成されており、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする薄型表示装置のスタンド構造。
【考案の詳細な説明】
【技術分野】
【０００１】
本考案は、液晶表示パネル、プラズマディスプレイパネル、ＥＬ表示パネル等の表示パネルを用いた薄型の画像表示装置を支持するスタンドの構造に関するものである。
【背景技術】
【０００２】
近年、テレビ受像機やパソコンモニタ等の表示装置として、液晶パネル、プラズマディスプレイパネル、ＥＬ表示パネル等の薄型表示パネルを用いた、薄型表示装置が広く普及している。このような薄型表示装置をテレビ台やテーブル等の水平部において使用する場合、前記薄型表示装置は奥行きが少なく自立することが不可能であるので、支持スタンドが備えられている。
【０００３】
支持スタンドは台座と、前記台座に前後に回動可能に取り付けられた支持脚部と、前記支持脚部に取り付け固定されたブラケット部とを備えている。ブラケット部は、薄型表示パネルが内部に配置された本体部に内蔵されており、前記本体部の内部に前記支持脚部を挿入させ、前記支持脚部に形成されたボルト孔と前記ブラケット部に形成されたボルト孔とを共通のボルトで共締めすることで前記支持スタンドに前記本体部を固定するものである（特開２００６−３０６７２号公報参照）。
【０００４】
【特許文献１】特開２００６−３０６７２号公報
【考案の開示】
【考案が解決しようとする課題】
【０００５】
前記ブラケット部と前記支持脚部をボルトで共締めする場合、前記ブラケット部に形成されたボルト孔と前記支持脚部に形成されたボルト孔とが重なるように、正確に位置決めしなくてはならない。しかしながら、前記ブラケット部は前記本体部内部に配置されているものであり、前記各部材に形成されているボルト孔が重なるように前記本体部を動かすことは容易ではなく、多くの労力と時間がかかる。
【０００６】
また、前記本体部は内部に前記薄型表示パネル、配線基板等が配置されており、重量が大きい。また、前記支持脚部と前記ブラケット部をボルトで共締めして固定するため、前記ボルトに力が集中する。重量物である前記本体部を安全且つ確実に前記支持脚部に固定するために、前記支持脚部及び前記ブラケット部は複数本（多くの場合４本以上）のボルトが用いられている。
【０００７】
前記ブラケット部が前記本体部の内部に配置されており、前記ボルトは前記本体部の後背部に形成された孔を通して取り付けられるが、ボルトを共締めする場合、工具の先端にボルトを係合して、前記後背部に形成された孔を通さなくてはならず、それだけ、取り付けに手間と時間がかかる。さらに、前記ボルトの本数が多くなればなるほど、製造に多くの手間と時間が必要であり、製造コストがかさむ。
【０００８】
そこで本考案は、画像表示パネルを供えた本体部を、支持脚部に取り付けるときに、容易に位置決めすることができる薄型表示装置のスタンド構造を提供することを目的とする。
【０００９】
また本考案は、従来型に比べて固定用のボルトの数を減らすことができる薄型表示装置のスタンド構造を提供することを目的とする。
【課題を解決するための手段】
【００１０】
上記目的を達成するために本考案は、前記薄型表示パネルを内蔵する本体部と、前記本体部を支持するスタンド部とを有する薄型表示装置のスタンド構造であって、前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、前記支持脚部は金属板を切り曲げて形成されたものであり、平板状の本体部と、前記本体部に形成された第１ボルト孔と、前記本体部の上部より張り出した凸部とを有しており、前記ブラケット部は金属板を切り曲げて形成されたものであり、平板状の本体部と、前記本体部に形成された第２ボルト孔と前記本体部の上部を折り曲げて形成された嵌合部とを有し、前記嵌合部は貫通孔を有しており、前記ブラケット部は、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする。
【００１１】
この構成によると、前記支持脚部の折り曲げ部と前記ブラケット部の係合部とを摺動させ、前記支持脚部の上部に形成された凸部が前記ブラケット部の貫通孔に貫通されるように取り付けるので、前記本体部を前記スタンド部の取り付け位置に容易且つ正確に配置することができる。
【００１２】
このように取り付けたときに、前記第１ボルト孔と前記第２ボルト孔とが重なるように形成されているので、前記第１ボルト孔と前記第２ボルト孔とを容易にボルトで共締めすることができ、それだけ、製造にかかる時間及び手間を削減することが可能である。
【００１３】
さらに、前記嵌合部が前記支持脚部の上部に当接氏、前記貫通孔を前記凸部が貫通して係合しているので、取り付け強度の低下を抑制しつつ、締結用ボルトの本数を減らすことが可能である。
【００１４】
これらのことより、薄型表示装置のスタンド構造、ひいては、薄型表示装置の製造コストを低減することが可能である。
【００１５】
上記構成において、前記嵌合部は切り曲げることで、導入部及び前記貫通孔が形成されるものであり、前記導入部は先端に向かって前記本体部より遠ざかるように形成されているものであってもよい。
【００１６】
また、上記構成において、前記第１ボルト孔及び前記第２ボルト孔は内周が円滑に形成されており、前記第１ボルト孔及び前記第２ボルト孔を共締めするためのボルトはナットと螺合することで締結することを特徴とするものであってもよい。
【００１７】
さらに上記構成において、前記ブラケット部は少なくとも前記第２ボルト孔の内周に雌ねじが形成されているものとしてもよい。
【００１８】
本考案にかかる薄型表示装置のスタンド構造を用いた液晶表示装置は例えば、以下のようなものとすることができる。すなわち、前面に液晶パネルを有する表示ユニットと、前記表示ユニットを内蔵する本体部と、前記本体部を支持するスタンド部とを有する液晶表示装置であって、前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、前記支持脚部は金属板を切り曲げて形成されたものであり、矩形の平板状の本体部と、前記本体部に形成され、内周に雌ねじが形成された２個の第１ボルト孔と、前記本体部の上部より張り出した一対の凸部と、前記本体部の両側部を折り曲げて形成された折り曲げ部とを有しており、前記ブラケット部は金属板を切り曲げて形成されたものであり、平板状の本体部と、前記本体部に形成され、内周に雌ねじが形成された２個の第２ボルト孔と、前記本体部の側部を折り曲げて形成された係合部と、前記本体部の上部を折り曲げて形成された一対の嵌合部とを有し、前記嵌合部は先端に向けて広がるように切り起こされた導入部と、前記導入部が切り起こされることで形成された貫通孔とを有しており、前記ブラケット部は、前記支持脚部の正面側に配置され、前記係合部が前記折り曲げ部に係合され、前記貫通孔が前記凸部に貫通されているとともに、前記本体部の背面側より挿入されたボルトにて前記第１ボルト孔と前記第２ボルト孔とが共締めされることで前記支持脚部に固定されている液晶表示装置。
【考案の効果】
【００１９】
本考案によると、画像表示パネルを供えた本体部を、支持脚部に取り付けるときに、容易に位置決めすることができる薄型表示装置のスタンド構造を提供することができる。
【００２０】
また本考案によると、従来型に比べて固定用のボルトの数を減らすことができる薄型表示装置のスタンド構造を提供することができる。
【考案を実施するための最良の形態】
【００２１】
以下に本考案の実施形態を図面を参照して説明する。図１は本考案にかかる薄型表示装置のスタンド構造を採用した薄型表示装置である液晶表示装置の斜視図であり、図２は図１に示す液晶表示装置の側面図であり、図３は本考案にかかる薄型表示装置のスタンド部の正面図であり、図４は図３に示す薄型表示装置のスタンド部側面図である。なお、図３、図４においては、便宜上、液晶パネル１、本体部２の図示を省略している。である。図１に示す液晶表示装置Ａは、少なくとも液晶表示パネル１と、液晶パネル１を内蔵する本体部２と、スタンド部３とを有している。
【００２２】
液晶表示パネル１は、少なくとも透明電極が配置され、対抗して配置された一対のガラス基板の間に液晶が封入されている液晶セル、液晶セルの透明電極に電力を供給する基板と、バックライト等を備えた薄型の表示パネルである。
【００２３】
本体部２は、フロントキャビネット２１と、リヤキャビネット２２とを有している。本体部２は内部に液晶表示パネル１が備えられており、フロントキャビネット２１には内部に配置された液晶表示パネル１の画像を外部に向けて表示する開口部２１１が形成されている。液晶表示パネル１は、画像が開口部２１１より外部に見えるように、フロントキャビネット２１に取り付けられている。リヤキャビネット２２はフロントキャビネット２１とで液晶表示パネル１を挟むように、フロントキャビネット２１の後背に取り付け固定される。
【００２４】
スタンド部３は、少なくとも、台座部４と、支持脚部５と、ブラケット部６とを有している。台座部４はそれには限定されないが、平板上の部材であり、液晶表示装置Ａをテーブルや設置台に設置するときの台座である。台座部４は、対向するように形成された一対の取付凸部４１を備えている。取付凸部４１は、支持脚部５を取り付けるための取付部である。取付凸部４１の中央には貫通孔４１１が形成されている。
【００２５】
支持脚部５は金属板を切り曲げて形成されたものであり、台座部４に本体部１の前後方向に回動することができるように取り付けられている。支持脚部５は矩形の平板形状の本体部５１と、本体部５１に形成された２個の第１ボルト孔５２と、本体部５１の上部より張り出した一対の凸部５３と、本体部５１の両側端部を折り曲げて形成された折り曲げ部５４と、本体部５１の下方に延び台座部４の取付凸部４１と回動可能に係合された係合部５５とを有している。
【００２６】
第１ボルト孔５２の内周には、雌ねじが形成されている。一対の凸部５３は、本体部５１と同一平面で上方に向かって張り出した形状を有するものである。係合部５５は本体部５１の下部より延びる脚部５５１と、脚部５５１の下方の両側を折り曲げ、取付凸部４１と係合された留部５５２と、留部５５２の中央に貫通孔５５３が形成されている。
【００２７】
留部５５２の貫通孔５５３が取付凸部４１の貫通孔４１１と重なるように支持脚部５を台座部４に配置し、支持脚部５の貫通孔５５３と台座部４の貫通孔４１１とをボルトＢｔ１で共締めすることで、支持脚部５を台座部４に所定の角度の範囲で回動するように、支持される。ここで、留部５５２と取付凸部４１との間に摩擦を増加するための樹脂等で形成された摩擦部材を取り付けられていてもよい。
【００２８】
ブラケット部６について説明する。図５は本考案にブラケット部の正面図であり、図６は図５に示すブラケット部の平面図であり、図７は図５に示すブラケット部の側面図である。図５、図６、図７に示すように、ブラケット部６は金属板を切り曲げて形成されたものであり、平板状の本体部６１と、本体部６１に形成され、内周に雌ねじが形成された２個の第２ボルト孔６２と、本体部６１の両側部を折り曲げて形成された係合部６３と、前記本体部の上部を折り曲げて形成された一対の嵌合部６４とを有している。
【００２９】
嵌合部６４は折り曲げられた引っ掛け部６４１と、引っ掛け部６４１の中央より切り起こされた導入部６４２と、導入部６４２が切り起こされた後の貫通孔６４３とを有している。導入部６４２は、引っ掛け部６４１に本体部６１から遠ざかるように下方に向けて切り起こされており、下方に広がるように形成されているものである。
【００３０】
ブラケット部６は本体部２の内部に配置されるものであり、ブラケット部６の本体部６１に形成されているねじ孔６５にボルトを貫通させフロントキャビネット２１に固定されている。リヤキャビネット２２にはねじ留め用の貫通孔２２１が形成されている。液晶パネル１、ブラケット部６を取り付けたフロントキャビネット２１の後背よりリヤキャビネット２２を取り付けることで、貫通孔２２１がブラケット部６の第２ボルト孔６２とが重なる。
【００３１】
リヤキャビネット２２の下部中央はフロントキャビネット２１に取り付けたときに、開口２３となるように形成される凹部２２２を有している。本体部２の開口２３に支持脚部５を挿入させ、支持脚部５とブラケット部６とをボルトで固定することで、スタンド部３に本体部２を固定することができる。
【００３２】
スタンド部３に本体部２を取り付ける方法を図を用いて説明する。
【００３３】
本体部２をスタンド部３に取り付けるときは、まず、本体部２の下部に形成された開口２３に支持脚部５が挿入される。ブラケット部６が支持脚部５と重なる位置まで本体部２が移動すると、ブラケット部６が支持脚部５の正面側と当接するように配置される。また、図３に示すように、支持脚部５の折り曲げ部５４とブラケット部６の係合部６３とが係合し、係合部６３が折り曲げ部５４と摺動しつつ本体部２が移動する。これにより、本体部２が横方向にずれないように移動する。
【００３４】
本体部２がさらに移動すると、ブラケット部６の嵌合部６４の導入部６４２にて支持脚部５の凸部５３とが接触し、凸部５３が貫通孔６４３に導かれる。このとき、導入部６４２が下方に向かって広がるように切り起こされているので、支持脚部５を視認できない本体部２の内部に挿入する場合であっても、凸部５３を貫通孔６４３に正確に導くことが可能である。
【００３５】
凸部５３が貫通孔６４３を貫通し、支持脚部５の上部がブラケット部６の引っ掛け部６４１と当接することで、本体部２は支持脚部５に配置される。このとき、支持脚部５に形成された第１ボルト孔５２とブラケット部６に形成された第２ボルト孔６２とが重なって配置される。この状態で、本体部２のリヤキャビネット２２の貫通孔２２１よりボルトＢｔ２を挿入し、第１ボルト孔５２と第２ボルト孔６２とをボルトＢｔ２で共締めすることで固定される。
【００３６】
本体部２の重量は、引っ掛け部６４１と支持脚部５の上端部及びボルトＢｔ２で支持されるものであり、本体部２の上部が正面側に倒れるようなモーメント（図４中矢線ａｒ１）が作用したときには、貫通孔６４３と凸部５３の係合によって本体部２が転倒しないように保持されるものである。
【００３７】
台座部４、支持脚部５には図示を省略した外装部材が取り付けられるものであってもよい。上記考案において第１ボルト孔５２と第２ボルト孔６２のそれぞれに雌ねじが形成されているものを例に説明しているが、少なくとも第２ボルト孔６２の内周に雌ねじ画形成されており、支持脚部５の第１ボルト孔よりボルトを挿入し、ボルトを第２ボルト孔６２と螺合させることで、支持脚部５とブラケット部６とを共締め固定するものであってもよい。さらに、第１ボルト孔５２及び第２ボルト孔６２いずれも内周が円滑な貫通孔で形成し、第１ボルト孔５２及び第２ボルト孔６２にボルトを挿入してナットを螺合させることで、支持脚部５とブラケット部６とを固定するものであってもよい。
【００３８】
以上、考案の実施形態を具体的に説明したが、本考案は上記実施形態に限定するものではなく、その要旨を逸脱しない範囲で種々変更可能である。
【産業上の利用可能性】
【００３９】
本考案は、液晶表示装置、ＰＤＰ、ＥＬ表示装置等の薄型表示装置を支持するスタンドとして適用することができる。
【図面の簡単な説明】
【００４０】
【図１】本考案にかかる薄型表示装置のスタンド構造を採用した薄型表示装置である液晶表示装置の斜視図である。
【図２】図１に示す液晶表示装置の側面図である。
【図３】本考案にかかる薄型表示装置のスタンド部の正面図である。
【図４】図３に示す薄型表示装置のスタンド部側面図である。
【図５】本考案にブラケット部の正面図である。
【図６】図５に示すブラケット部の平面図である。
【図７】図５に示すブラケット部の側面図である。
【符号の説明】
【００４１】
１  液晶パネル
２  本体部
２１  フロントキャビネット
２２  リヤキャビネット
３  スタンド部
４  台座部
５  支持脚部
５１  本体部
５２  第１ボルト孔
５３  凸部
５４  折り曲げ部
５５  脚部
６  ブラケット部
６１  本体部
６２  第２ボルト孔
６３  係合部
６４  嵌合部
６４１  引っ掛け部
６４２  導入部
６４３  貫通孔
【図１】
0003130612.tif 000003
【図２】
0003130612.tif 000004
【図３】
0003130612.tif 000005
【図４】
0003130612.tif 000006
【図５】
0003130612.tif 000007
【図６】
0003130612.tif 000008
【図７】
0003130612.tif 000009
【手続補正書】
【提出日】平成19年1月29日(2007.1.29)
【手続補正１】
【補正対象書類名】実用新案登録請求の範囲
【補正対象項目名】全文
【補正方法】変更
【補正の内容】
【実用新案登録請求の範囲】
【請求項１】
前面に液晶パネルを有する表示ユニットと、
前記表示ユニットを内蔵する本体部と、
前記本体部を支持するスタンド部とを有する液晶表示装置であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、矩形の平板状の本体部と、前記本体部に形成され、内周に雌ねじが形成された２個の第１ボルト孔と、前記本体部の上部より張り出した一対の凸部と、前記本体部の両側部を折り曲げて形成された折り曲げ部とを有しており、
前記ブラケット部は金属板を切り曲げて形成されたものであり、平板状の本体部と、前記本体部に形成され、内周に雌ねじが形成された２個の第２ボルト孔と、前記本体部の側部を折り曲げて形成された係合部と、前記本体部の上部を折り曲げて形成された一対の嵌合部とを有し、
前記嵌合部は先端に向けて広がるように切り起こされた導入部と、前記導入部が切り起こされることで形成された貫通孔とを有しており、
前記ブラケット部は、前記支持脚部の正面側に配置され、前記係合部が前記折り曲げ部に係合され、前記貫通孔が前記凸部に貫通されているとともに、前記本体部の背面側より挿入されたボルトにて前記第１ボルト孔と前記第２ボルト孔とが共締めされることで前記支持脚部に固定されていることを特徴とする液晶表示装置。
【請求項２】
薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は貫通孔を有しており、
前記ブラケット部は、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする薄型表示装置のスタンド構造。
【請求項３】
薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は切り曲げることで、先端に向かって前記本体部より遠ざかるように形成された導入部及び貫通孔が形成されるものであり、
前記ブラケット部は、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする薄型表示装置のスタンド構造。
【請求項４】
薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は貫通孔を有しており、
前記第１ボルト孔及び前記第２ボルト孔は内周が円滑に形成されており、
前記ブラケット部は、前記支持脚部の正面側に配置され、前記貫通孔が前記凸部に貫通されるとともに、前記本体部の背面側よりボルトを前記第１ボルト孔及び前記第２ボルト孔に挿入させ、前記ボルトの先端にナットを螺合して締結することで前記支持脚部に固定されていることを特徴とする薄型表示装置のスタンド構造。
【請求項５】
薄型表示パネルを内蔵する本体部と、
前記本体部を支持するスタンド部とを有する薄型表示装置のスタンド構造であって、
前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、
前記支持脚部は金属板を切り曲げて形成されたものであり、平板状の本体部と、前記本体部に形成された第１ボルト孔と、前記本体部の上部より張り出した凸部とを有しており、
前記ブラケット部は金属板を切り曲げて形成されたものであり、平板状の本体部と、前記本体部に形成された第２ボルト孔と、前記本体部の両側を折り曲げて形成された係合部と、前記本体部の上部を折り曲げて形成された嵌合部とを有し、
前記嵌合部は貫通孔を有しており、
前記ブラケット部は少なくとも前記第２ボルト孔の内周に雌ねじが形成されており、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする薄型表示装置のスタンド構造。
【手続補正２】
【補正対象書類名】明細書
【補正対象項目名】００１０
【補正方法】変更
【補正の内容】
【００１０】
上記目的を達成するために本考案は、薄型表示パネルを内蔵する本体部と、前記本体部を支持するスタンド部とを有する薄型表示装置のスタンド構造であって、前記スタンド部は台座部と、前記台座部に取り付けられ該台座部に対して所定の角度をなすよう前後に回動可能に取り付けられた支持脚部と、本体部に内蔵されるとともに前記支持脚部に取付固定されるブラケット部とを有しており、前記支持脚部は金属板を切り曲げて形成されたものであり、平板状の本体部と、前記本体部に形成された第１ボルト孔と、前記本体部の上部より張り出した凸部とを有しており、前記ブラケット部は金属板を切り曲げて形成されたものであり、平板状の本体部と、前記本体部に形成された第２ボルト孔と前記本体部の上部を折り曲げて形成された嵌合部とを有し、前記嵌合部は貫通孔を有しており、前記ブラケット部は、前記支持脚部の正面側に配置され、前記貫通孔が前記凸部に貫通されるとともに、前記本体部の背面側より挿入されたボルトにて前記第２ボルト孔と前記第１ボルト孔とが共締めされることで前記支持脚部に固定されていることを特徴とする。